(57)【要約】【課題】  提携店舗の駐車場利用者の駐車料金割引サービスに関し、割引サービスを受けられるだけの商品購入金額に満たない場合に、駐車場清算機で提携店舗の商品券購入を勧め、販売し、駐車料金の割引サービスを受けて退出できる駐車場管理システムとする。【解決手段】  駐車場の管理サーバはクレジットカード番号をキーに、入場機からの入庫時刻と店舗端末からの購入金額とを受信し、清算機は出場時に管理サーバに照会して得られた入庫時刻と購入金額総額に基き、駐車場利用料金と割引サービス金額を算出し、割引後の駐車場利用料金が無料となるよう清算機にて所定額の商品券購入を勧め、購入の結果に応じた割引サービスを受けて清算し、出場できるように駐車場管理システムを構成する。【選択図】図１
2005157438.tif 000002
【特許請求の範囲】
【請求項１】
利用者認証情報をキーに、駐車場管理サーバに当該利用者が入場可能か否かを問い合わせ、得られた可否情報に応じて利用者の入場を許可する駐車場の入場機と、
クレジット取引加盟店に設置され、利用者認証情報の照会を行う照会手段を備え、利用者認証情報と共に、提携店舗内でのクレジット取引による購入金額を、該加盟店の提携駐車場の駐車場管理サーバに通知する手段を有する店舗端末と、
駐車状態を管理し、前記入場機からの問い合わせに、空き状態により入場可能か否か、の許可情報を通知する手段と、入場した場合には利用者の入庫時刻と、駐車時間内に提携店舗内でクレジット取引された購入金額とを把握する手段を有する駐車場管理サーバと、
出庫時に利用者認証情報をキーに、駐車場管理サーバに問い合わせ、得られた入庫時刻と購入金額総額とから、出庫時刻までの駐車場利用料金と購入金額総額に基づいた割引サービス金額を算出する手段と、割引後の駐車場利用料金が無料とならない場合には、所定額の商品券購入を勧め販売する手段と、購入された商品券金額に応じた割引サービスにより清算して出場を許可する手段とを有する清算機と、
を備えたことを特徴とする駐車場管理システム。
【請求項２】
利用者認証情報を読み込む手段と、
読み込まれた利用者認証情報を駐車場管理サーバに送信し、該管理サーバに該当する利用者の入庫時間、および当該利用者の提携先店舗での購入金額の問い合わせを行う手段と、
出庫時刻と上記管理サーバから通知される入庫時刻とから駐車場利用料金を算出する手段と、
上記管理サーバから通知される購入金額総額に基づき割引サービス金額を算出する手段と、
割引サービス金額を差し引いた駐車場利用料金が無料とならない場合には、所定額の提携店舗の商品券の購入を勧める表示を行う手段と、商品券の販売を行う手段と、商品券購入金額に応じた駐車場利用料金の清算処理を行い出場を許可する手段と、
を備えたことを特徴とする駐車場の清算機。
【請求項３】
駐車料金の清算処理プログラムであって、上記プログラムは、
利用者認証情報を読み込む処理と、
該読み込まれた認証情報を駐車場を管理する管理サーバに送信し、該管理サーバに、該当する利用者の入庫時間、および当該利用者の提携先の店舗での購入金額の問い合わせを行う処理と、
出庫時刻と上記管理サーバから通知される入庫時刻とから駐車場利用料金を算出する処理と、
上記管理サーバから通知される購入金額総額に基づき割引サービス金額を算出する処理と、
割引サービス金額を差し引いた駐車場利用料金が無料とならない場合には、所定額の提携店舗の商品券の購入を勧める表示を行う処理と、商品券の販売を行う処理と、商品券購入金額に応じた駐車場利用料金の清算処理を行い出場を許可する処理を、
コンピュータに実行させることを特徴とする駐車料金の清算処理プログラム。
【発明の詳細な説明】
【技術分野】
【０００１】
本発明は、提携店舗の駐車場の利用者に対し、駐車料金割引サービスを提供するシステムに関し、駐車場清算機にて提携店舗の商品券を購入することによっても、駐車料金の割引サービスを受けて退出できる駐車場管理システムに関する。
【背景技術】
【０００２】
従来、車で買い物にくる顧客の利便性を向上させるため、店舗と駐車場が提携し、利用者が店舗で一定金額以上の商品を購入した場合、駐車場利用料金の割引サービスを受けられるようになっている。例えば、２０００円以上のお買い上げで１時間まで無料、１００００円以上のお買い上げで２時間まで無料のサービスを受けられるようなサービスがある。何も買わない場合は、３０分ごとに２００円の駐車料金がかかる例もあり、商品の購入金額に応じた所定時間を超えた場合には、超過料金が徴収されるようになっている。これらの駐車場には駐車カード発行機と駐車料金精算機とからなる駐車料金精算システムが設置されており、典型的な駐車料金の精算は概ね次の手順で行われている。
（１）店舗の顧客は駐車場への入口ゲートに設置された駐車カード発行機で入場時刻が記録された駐車カードを受け取る。
（２）買い物を済ませた顧客は、店内で購入金額に応じた割引サービス情報を駐車カードに記録してもらった上で、前記駐車カードを出口ゲートに設置された駐車料金精算機のカード挿入口に挿入する。
（３）駐車料金精算機は前記駐車カードに記録された入場時刻を読取り、カード挿入口に駐車カードが挿入された退場時刻とから、駐車時間を算出する。
（４）また、記録されている割引サービス情報を読取り、割引サービスとなる所定時間内であれば、駐車料金精算機は直ちに出口ゲートを開く。
（５）駐車時間が所定時間を超過していた場合には、駐車料金精算機は超過分の駐車料金を表示器に表示し、顧客に請求する。
（６）顧客が超過分の駐車料金を料金支払い口に投入又は挿入すると、駐車料金精算機は精算処理を完了し、出口ゲートを開く。
【０００３】
そして、上記のような駐車料金清算システムに関しては、クレジットカードやデビットカードにより、商品等を購入した顧客が、駐車場の入場時と退場時に前記カードにより、購入代金の金額に基づいて駐車料金の割り引きが受けられるもの（特許文献１）や、駐車場への予約ができる予約端末、駐車場の入場機、及び退場時の清算機のそれぞれに、クレジットカードやデビットカードを使用して、駐車料金の割引サービスを受けられるもの（特許文献２）がある。
【０００４】
ところで、目的の物を買おうとデパート等へ車を使って出かけた際、目的のものが見つからず、何も買わなかった場合は、上記の例のように、３０分ごとに２００円の駐車料金がかかり、利用者は駐車料金の負担に不満が残る。このような場合、店舗に頻繁に買い物に行く利用者は、駐車料金の割引サービスを受けられる分の商品券を購入し、駐車場利用料金のサービスを受け、次回、店舗に買い物にきた時に、その商品券を使った買い物により、再度、駐車場利用料金の割引サービスを受けるような方法をとることができる。つまり、１度の買い物で２度、駐車料金の割引サービスを受けられるメリットがある。
【０００５】
しかし、このような方法は利用者が商品券の購入で駐車料金の割引サービスを受けることを思いつかないと実践できない方法であり、また、店舗は、このような方法で利用者が商品券を購入して駐車料金の割引サービスを受けられることを利用者に宣伝していないため、商品券販売の機会を失うことが多い。また、利用者が提携店舗で何も買わなかった場合、駐車場清算機で提携店舗の商品券の購入を勧め、利用者が商品券を購入することにより駐車場利用料金の割引サービスをその場で受けられるようにしたシステムはなかった。    
【特許文献１】特開２００２−１８９８１６号公報
【特許文献２】特開２００３−２６３６６１号公報
【発明の開示】
【発明が解決しようとする課題】
【０００６】
駐車場の利用者が、駐車場の提携店舗で何も買わなかったり、割引サービスを十分に受けられる購入金額に満たなかった場合、提携店舗の商品券の販売を可能とした駐車場清算機の清算画面で、『利用者が商品券の購入により駐車場料金の割引サービスをその場で受けられ、且つ次回の来店で購入した商品券の使用時も駐車料金の割引サービスを受けられる』ことを利用者に表示して商品券の購入を勧め、利用者が提携店舗の商品券を所定額購入した場合には、駐車場料金の割引サービスをその場で受けられる駐車場料金清算システムを構築することが課題である。
【課題を解決するための手段】
【０００７】
駐車場の入場機から入庫時刻と、提携店舗の店舗端末から購入金額とを、それぞれ利用者のクレジットカード番号と共に、駐車場の管理サーバに送信し、出場時には清算機が出庫時刻に読み取ったクレジットカード番号をキーに管理サーバに照会して、前記入庫時刻と購入金額総額を得、入庫時刻から出庫時刻までの駐車場利用料金と購入金額総額に基づいた割引サービス金額を算出し、割引後の駐車場利用料金が無料とならない場合には、清算機にて所定額の商品券購入を勧め、購入された商品券金額に応じた割引サービスを受けて清算して出庫できる仕組みとすることを主要な特徴とする。
【発明の効果】
【０００８】
本発明によれば、提携店舗の駐車場利用者が提携店舗で何も買わなかった場合でも、駐車場清算機で提携店舗の商品券を購入できるので、駐車場料金の割引サービスをその場で受けることができる。また、次回の来店で購入した商品券を使った場合にも駐車場料金の割引サービスを受けられるので、２度の駐車場料金の割引サービスを受けられることで利用者の利便性の向上を図り、来店回数を増やすことができる。同時に、何も買わなかった顧客にも、提携店舗の商品券の購入を促進でき、顧客の囲い込みを行うことができ、売上増を期待できる。
【発明を実施するための最良の形態】
【０００９】
クレジットカード番号をキーに、入場機、店舗端末からの情報を駐車場管理サーバに格納し、清算機は出庫時に駐車場管理サーバに問い合わせ、購入金額総額に応じた割引サービス金額を引いた、割引後の駐車場利用料金が無料とならない場合には、清算機はお勧めの商品券購入金額も提示した商品券購入画面を表示し、指示を受けた商品券を発券し、クレジットカードでの商品券購入金額に応じた清算をしてから駐車場ゲートを上げる仕組みとした。
【００１０】
実施例１は、駐車場の予約を行うための予約端末を有する特許文献２に、本発明の商品券購入による清算の機能を追加したものであり、実施例２は、駐車場の予約を行うための予約端末がない場合である。
【実施例１】
【００１１】
図１（Ａ）は本発明の実施例１の駐車場管理システムの全体構成を示す図である。図１（Ａ）において、１は駐車場の予約を行うための予約端末であり、クレジットカード、デビットカード等の利用者を判別する一意情報を記録した記録媒体（以下クレジットカードとして説明する）を読み取る機構を備え、利用者の駐車情報の利用予約を受け付け、利用者のクレジットカード番号、入庫予定時刻等の情報を駐車場の管理サーバに送信する。
【００１２】
２は駐車場の管理サーバであり、利用者のクレジットカード番号、入庫予定時刻、駐車番号等を管理する利用者情報管理テーブルと、入庫済、予約済等の駐車場内の駐車スペースに割り当てられる駐車番号を管理する駐車番号テーブルを備え、予約端末１からの予約を受け付けるとともに、駐車場の提携先の店舗から送られてくる当該駐車場の利用者の当該店舗における購入金額を受信し、入庫、出庫時に入場機３に入場許可を通知したり、清算機４に入庫時刻、当該利用者の提携店舗における購入金額を通知する。
【００１３】
３は入場機であり、利用者のクレジットカードを読み取る機構を備え、クレジットカードから読み取った情報に基づき駐車場の管理サーバ２に問い合わせ、利用者が予約者であるか、予約者でない場合には空きがあるか、の管理サーバ２から受けた入庫可否情報に基き、駐車場への入場を許可する。４は清算機であり、利用者のクレジットカードを読み取る機構を備え、クレジットカードから読み取った情報に基づき利用者を判別して、利用者の駐車場利用料金を算出し、料金の清算を行う。５は店舗内に設置される端末であり、利用者のクレジットカードを読み取る機構を備え、クレジットカードから読み取った情報に基づき利用者を判別して、提携先の駐車場の利用者の購入金額を上記駐車場の管理サーバ２に通知する。
【００１４】
予約端末１は、図２に示すように利用者からの照会に応じて、画面に駐車場の空き情報を表示するための表示部１ａと、利用者が目的地に近い駐車場を選択したり、入庫予定時刻を入力するための選択指示部１ｂと、クレジットカードのＭＳ（磁気ストライプ）情報を読み込みためのカードリーダ部１ｃと、駐車場の管理サーバ２との間で通信を行うための通信制御部１ｄと、上記予約に必要な処理を行うＣＰＵ１ｅと、プログラムやデータを格納するメモリ１ｆとを備える。利用者が予約を行う際は、予約端末１のカードリーダ部１ｃにクレジットカードを読み込ませ、選択指示部１ｂにより駐車場を選択し、さらに、入庫予定時刻を入力する。予約端末１は、選択された駐車場の管理サーバ２に予約可能か問い合わせ、予約可能の場合は、入庫予定時刻及びクレジットカード番号を駐車場の管理サーバ２に送信する。
【００１５】
駐車場の管理サーバ２は、上記予約端末１や後述する入場機３、清算機４、店舗端末５と通信するための通信制御部等を備えた処理装置であり、利用者の利用情報を管理する利用者情報管理テーブルと、駐車場内の駐車場所を管理する駐車番号テーブルを持つ。上記利用者情報管理テーブルは、予約端末１から送信された利用者の認証情報を元に、本実施例では利用者のクレジット番号単位に作成され、図３に示すように、クレジットカード番号、入庫予定時刻、駐車番号、入庫時刻、提携先店舗における利用者の購入金額を管理する。また、予約時には、予約情報として、上記クレジット番号、入庫予定時刻、駐車番号を設定する。なお、駐車番号は、駐車場内の各駐車スペースに割り当てられる番号である。
【００１６】
駐車番号テーブルは、上記駐車番号により駐車場内の各駐車スペースを管理し、駐車番号が割り当てられた駐車スペースが入庫済か、予約済か、出庫済か等の空き状態を管理する。上記管理サーバは、予約、入庫、出庫時に上記駐車番号テーブルを更新し、予約端末からの問い合わせがあると、上記駐車場番号テーブルにより、空いている駐車番号を検索する。そして、空きがある場合は、予約可能として予約端末１に予約許可を与える。予約破棄時は、例えば、予約破棄が入庫予定時刻前なら、上記駐車番号テーブルから予約情報を消去し、駐車場料金の請求を行わないようにし、予約破棄が入庫予定時刻以降ならば、入庫予定時刻から予約破棄までの時間を算出し、時間に応じた料金を請求し、同時に上記駐車番号テーブルから予約情報を消去する。また、入庫予定時刻から一定時間が経過したなら、上記駐車番号テーブルからから予約情報を消去し、かつ、入庫予定時刻から予約破棄までの時間を算出し、時間に応じた料金を請求する。
【００１７】
入場機３は、図４に示すように駐車場の入口に設けられた入場ゲートを制御する入場ゲート制御部３ａと、駐車場の利用者に駐車番号を知らせる駐車番号表示部３ｂと、クレジットカードのＭＳ情報を読み込むカードリーダ部３ｃと、管理サーバ２と通信を行うための通信制御部３ｄと、入場機３を制御するＣＰＵ３ｅと、プログラムやデータを格納するメモリ３ｆとを備える。入庫時、利用者がクレジットカードを入場機のカードリーダ部３ｃに挿入すると、入場機３はクレジットカードのＭＳ情報からクレジットカード番号を読み取り、駐車場の管理サーバ２に上記利用者が予約者であるかを確認する。
【００１８】
駐車場の管理サーバ２は入場機３から問い合わせがあると、上記クレジットカードのＭＳ情報をキーに前記利用者情報管理テーブルの予約情報を検索し、予約者か否かを判定する。予約者の場合は、入場許可通知と、あらかじめ確保していた駐車番号を入場機３に通知し、入場機３は前記入場ゲート制御部３ａにより駐車場の入口に設けられたゲートを上げ、利用者の入場を許可する。また、管理サーバ２にて予約者でないと判定された場合は、駐車番号テーブルを参照して駐車スペースに余裕があるかを判定し、余裕があれば入場許可と駐車可能な駐車番号を入場機３に通知する。同時に、駐車番号テーブルに駐車番号を書き込み、ＭＳ情報と入場時間を利用者情報管理テーブルに書き込む。また更に、後述するように、利用者が清算機４にて、商品券購入の勧めに従って、商品券を購入した場合には、清算機４から送信された商品券購入金額を該当する利用者情報管理テーブルのクレジット番号の購入金額欄に今回の購入金額と前回の購入金額を足したものを書き込む。
【００１９】
店舗端末５は、駐車場と提携している店舗内に設置されるＰＯＳ端末であり、前記クレジットカードのＭＳ情報を読み込むカードリーダ部と、駐車場の管理サーバ２と通信するための通信制御部を備える。駐車場と提携している店で利用者が買い物をした場合、上記店舗端末５のカードリーダ部で、クレジットカードを読み込ませ、店舗端末５から、提携先の駐車場の管理サーバ２に該当するクレジット番号が存在するか問い合わせる。そして、管理サーバ２は利用者情報管理テーブルに利用者のクレジット番号が存在する場合は、店舗端末５から、クレジットカード番号と購入金額データを駐車場の管理サーバ２に送信する。
【００２０】
駐車場の管理サーバ２は、管理サーバ内の利用者情報管理テーブルから該当するクレジット番号を検索し、該当するクレジット番号の管理テーブルの購入金額に今回の購入金額と前回の購入金額を足したものを書き込む。また、上記利用者の入庫時刻を店舗端末５に送信する。店舗端末５では、上記入庫時刻から現時点までの経過時間を求める。そして、図５（ａ）に示すように利用者の購入品、購入金額と上記入庫時刻と経過時間を印字したレシートを発行する。また、図５（ｂ）に示すように店舗端末のディスプレイに利用駐車場、入庫時刻、利用時間等を表示する。利用者は上記レシートに印字された入庫時刻と経過時間から、現時点までの駐車時間を知ることができる。
【００２１】
清算機４は、図６に示すように、駐車場の出口に設けられた出場ゲートを制御する出場ゲート制御部４ａと、駐車料金を表示する料金表示部４ｂと、現金投入部４ｃと、投入された現金を数える現金計数部４ｄと、クレジットカードのＭＳ情報を読み込むカードリーダ部４ｅと、時計機構４ｆと、管理サーバ２と通信を行うための通信制御部４ｇと、清算機４を制御するＣＰＵ４ｈと、プログラムやデータを格納するメモリ４ｉと、購入申し込みされた商品券を発券する商品券発券部４ｊと、を備える。出庫時、利用者がクレジットカードを清算機４に挿入すると、清算機４はクレジットカードのＭＳ情報からクレジットカード番号を読み取り、駐車場の管理サーバ２に該当クレジットカード番号の購入金額の問い合わせを行う。
【００２２】
駐車場の管理サーバ２は、サーバ内の利用者情報管理テーブルから該当するクレジット番号を検索し、該当するクレジット番号の利用者情報管理テーブルに記録された提携店舗における利用者の購入金額を清算機４に通知する。清算機４は通知された購入金額から割引料金を決定し、駐車場利用料金の算出を行い、算出した割引後の駐車場利用料金が無料とならない場合には、図１１（ａ）に示すような、割引を受けられる所定額の提携店舗の商品券の購入を勧め、商品券購入か駐車料金清算か、を選択できる画面を料金表示部４ｂに表示する。利用者が「商品券購入」を選択すると、図１１（ｂ）に示すような購入希望の商品券の店舗名が表示され、選択後は図１１（ｃ）に示すような購入する商品券の種類、枚数を指定する画面が表示され、指定した後、購入を決定すると、商品券発券部から商品券を発券すると共に、サーバ上の売上ログに書き込み、クレジット会社に購入金額データを送信する。さらに、所定の購入金額領域に商品券の購入金額をセットし、購入金額領域の購入金額から割引料金を再決定し、駐車料金−割引料金＝割引後駐車料金を料金表示部４ｂに表示する。再計算した割引後の駐車場利用料金が無料となった場合には、出場ゲート制御部４ａにより出場ゲートを上げて、出車を許可する。
【００２３】
もし、利用者が「商品券購入」を選択せずに、「駐車料金清算」を選択した場合には、次に料金表示部４ｂに利用料金を表示し、利用者が表示された料金を現金投入部４ｃから入金すると、出場ゲート制御部４ａにより出場ゲートを上げて、出車を許可する。なお、清算機４に、現金による支払い、またはクレジットカードによる支払いを選択ができる手段を設け、現金が選択された場合は、現金を入金することで清算が可能となり、クレジットカードが選択された場合は、クレジットカード会社に料金を自動的に請求する仕組みを持ってもよい。
【００２４】
図７は、上記駐車場予約時の処理フローである。同図において、利用者が予約申し込み操作をし、クレジットカードを挿入すると（ステップＳ１）、予約端末１はクレジットカード番号を読み取り、選択画面を表示する（ステップＳ２，Ｓ３）。利用者が選択画面上で、駐車場の選択操作をすると、予約端末１は、該当する駐車場の管理サーバ２に予約が可であるかを問い合わせる（ステップＳ４，Ｓ５）。予約可でない場合には、駐車場の再選択指示を表示し（ステップＳ６）、ステップＳ３に戻り、利用者は上記駐車場の選択操作を繰り返す。予約可の場合、予約端末１は上記クレジットカード番号を駐車場の管理サーバ２に送信し（ステップＳ７→ステップＳ８）、予約完了表示をする（ステップＳ９）。
【００２５】
図８は、予約機能がある場合の駐車場入場時における処理フローである。利用者が駐車場の入口で入場機にクレジットカードを挿入し、クレジットカード番号が読み取られる（ステップＳ１）と、入場機はクレジットカード番号を駐車場の管理サーバ２に照会する（ステップＳ２）。駐車場の管理サーバ２は、利用者情報管理テーブルを検索し、照会のあった利用者が予約者であるかを調べる（ステップＳ３，Ｓ４）。予約者の場合には、予約者名と駐車番号を入場機に通知し（ステップＳ８）、利用者情報管理テーブルに入庫時間をセットする（ステップＳ７）。また、予約者でない場合には、駐車番号テーブルを検索し（ステップＳ５）、空きがあるかを調べる。空きがない場合には、空きがないことを入場機に通知して処理を終了する。空きがある場合には、入場機に空き有りを通知し、駐車番号テーブルを更新する。さらに、駐車番号を入場機に通知し、利用者情報管理テーブルを更新し、利用者情報管理テーブルに入庫時間をセットする（ステップＳ９，Ｓ７）。入場機は、上記駐車場の管理サーバ２からの通知を受信し、利用者が予約者であるか、予約者ではないが駐車場に空きがある場合には、駐車番号を表示して、入場許可ゲートを上げる（ステップＳ１０，Ｓ１１）。また、予約者でなく、かつ、駐車場に空きがなければ、入場不許可表示をする（ステップＳ１２）。
【００２６】
図９は駐車場の利用者が提携店舗で買い物をしたときの処理フローである。利用者が提携店舗で買い物をしてレジに行き、クレジットカードを提示すると、店舗端末５にクレジットカードが挿入されて、クレジット番号を読み取り（ステップＳ１）、提携駐車場の管理サーバ２に該当者がいるかを問い合わせる（ステップＳ２）。駐車場の管理サーバ２では、クレジット番号が送られてくると、利用者情報管理テーブルを検索し（ステップＳ３）、該当利用者の存在の有無、および、該当利用者が存在する場合には、該当利用者の入庫時間を店舗端末５に通知する（ステップＳ４）。店舗端末５では、管理サーバ２から該当者が存在しないという通知があると、ステップＳ２に戻り、他の提携駐車場に問い合わせを行う。また、該当者が存在する場合には、利用者のクレジット番号および購入金額を駐車場の管理サーバに通知する（ステップＳ５→ステップＳ６）。そして、前記したように、レシートに該当利用者の入庫時刻および経過時間を印字する。駐車場の管理サーバ２は、クレジット番号と購入金額が通知されると、利用者情報管理テーブルを検索し、該当する利用者の購入金額を検索する（ステップＳ７）。そして、利用者情報管理テーブルの購入金額を、前回の購入金額に今回の購入金額を加算した金額とする（ステップＳ８）。
【００２７】
図１０は駐車料金清算時の処理フローを示す図である。利用者が清算機にクレジットカードを挿入すると、清算機はクレジット番号を読み取り、クレジット番号を駐車場の管理サーバ２に送信する（ステップＳ１、Ｓ２）。駐車場の管理サーバ２は、該当利用者の購入金額と、入庫時刻を利用者情報管理テーブルから検索し（ステップＳ３）、購入金額と入庫時刻を清算機４に通知する（ステップＳ４）。清算機４では、駐車場の管理サーバから購入金額と入庫時刻が通知されると、入庫時刻、出庫時刻をもとに駐車料金を計算する（ステップＳ５）。そして、上記購入金額から割引料金を決定し（ステップＳ６）、駐車料金から割引料金を引いた割引後駐車料金を計算する（ステップＳ７）。算出した割引後の駐車場利用料金が無料とならない場合には、割引により駐車料金が無料となる商品券の購入金額を決定（ステップＳ８→ステップＳ１０）し、所定額の提携店舗の商品券の購入を勧める表示と、商品券購入を選択できる画面を料金表示部４ｂに表示する。（ステップＳ１１）。利用者が商品券購入を選択し（ステップＳ１２）、購入する商品券の種類、枚数を指定して購入を決定すると、商品券を発券し、管理サーバ２上の売上ログにクレジットカード番号と購入金額データを記録した上、クレジット会社に購入金額データを送信し、購入金額領域に商品券の購入金額を加算し（ステップＳ１５）、購入金額領域の購入金額から割引料金を決定し（ステップＳ１６）、駐車料金−割引料金＝割引後駐車料金を料金表示部４ｂに表示する（ステップＳ１７、Ｓ１８）。再計算した割引後の駐車場利用料金が無料となった場合には、出場ゲート制御部４ａにより出場ゲートを上げて、出車を許可する（ステップＳ２０）。もし、利用者が商品券購入を選択しない場合には、購入金額領域にサーバに問い合わせた購入金額をセットし（ステップＳ１２→ステップＳ９）、ステップＳ１６に移行する。さらに、駐車料金を表示し（ステップＳ１８）、利用者が入金をすると、入金された現金を計数し（ステップＳ１９）、入金を確認した後、出場ゲートを上げる（ステップＳ２０）。なお、上記説明では、清算機が駐車料金を算出しているが、駐車場の管理サーバで割引料金等を決定して駐車料金を算出し、清算機４に送信するようにしてもよい。
【実施例２】
【００２８】
図１（Ｂ）は本発明の実施例２の駐車場管理システムの全体構成を示す図であり、図１（Ｂ）において、図１（Ａ）における駐車場の予約を行うための予約端末１はない。２は駐車場の管理サーバであり、利用者のクレジットカード番号、駐車番号等を管理する利用者情報管理テーブルと、入庫済の駐車場内の駐車スペースに割り当てられる駐車番号を管理する駐車番号テーブルを備え、駐車場の提携先の店舗から送られてくる当該駐車場の利用者の当該店舗における購入金額を受信し、入庫、出庫時に入場機３に入場許可を通知したり、清算機４に入庫時間、当該利用者の提携店舗におけ購入金額等を通知する。３は入場機であり、利用者のクレジットカードを読み取る機構を備え、クレジットカードから読み取った情報に基づき利用者を判別して、駐車場への入場を許可する。
【００２９】
４は清算機であり、利用者のクレジットカードを読み取る機構を備え、クレジットカードから読み取った情報に基づき利用者の購入金額総額と駐車時間に基づいて算出した割引後の駐車場利用料金が無料とならない場合には、清算機のディスプレイに商品券購入と勧めの商品券購入金額を勧める画面を表示し、その画面で利用者が商品券の購入を選択した場合は、購入する商品券の枚数を判別して、利用者の駐車場利用料金を算出し、料金の清算を行う。５は店舗内に設置される店舗端末であり、利用者のクレジットカードを読み取る機構を備え、クレジットカードから読み取った情報に基づき利用者を判別して、提携先の駐車場の利用者の購入金額を上記駐車場の管理サーバ２に通知する。
【００３０】
駐車場の管理サーバ２は、入場機３、清算機４、店舗端末５と通信するための通信制御部等を備えた処理装置であり、利用者の利用情報を管理する利用者情報管理テーブルと、駐車場内の駐車場所を管理する駐車番号テーブルを持つ。上記利用者情報管理テーブルは、入場機３からの利用者認証情報であるクレジット番号単位に作成され、図示しないがクレジットカード番号、駐車番号、入庫時間、提携先店舗における利用者の購入金額を管理するもので、図３における「入庫予定時刻」がない以外は図３と同様である。なお、駐車番号は、駐車場内の各駐車スペースに割り当てられる番号である。駐車番号テーブルは、上記駐車番号により駐車場内の各駐車スペースを管理し、駐車番号が割り当てられた駐車スペースが入庫済か、出庫済か等の空き状態を管理する。上記管理サーバは、入庫、出庫時に上記駐車番号テーブルを更新する。尚、本実施例では、駐車場内の各駐車スペースに割り当てらた駐車番号と駐車番号テーブルより、空きの有無を把握するようにしているが、収容台数を最大値とした、入出庫の台数管理で行う簡易な方法であっても実現可能である。
【００３１】
入場機３は、図４に示すように駐車場の入口に設けられた入場ゲートを制御する入場ゲート制御部３ａと、駐車場の利用者に駐車番号を知らせる駐車番号表示部３ｂと、クレジットカードのＭＳ情報を読み込むカードリーダ部３ｃと、管理サーバ２と通信を行うための通信制御部３ｄと、入場機３を制御するＣＰＵ３ｅと、プログラムやデータを格納するメモリ３ｆとを備える。入庫時、利用者がクレジットカードを入場機のカードリーダ部３ｃに挿入すると、入場機３はクレジットカードのＭＳ情報からクレジットカード番号を読み取り、駐車場の管理サーバ２に通知すると共に、前記入場ゲート制御部３ａにより駐車場の入口に設けられたゲートを上げ、利用者の入場を許可する。
【００３２】
図１２は、予約機能ない場合の駐車場入場時における処理フロー図である。利用者が駐車場の入口で入場機にクレジットカードを挿入し、クレジットカード番号が読み取られる（ステップＳ１）と、入場機はクレジットカード番号を駐車場の管理サーバに通知する（ステップＳ２）。駐車場の管理サーバは、駐車番号テーブルを検索し（ステップＳ３）、空きがあるかを調べる。空きがない場合には、空きがないことを入場機に通知して処理を終了する。空きがある場合には、入場機に空き有りを通知し、駐車番号テーブルを更新する。さらに、駐車番号を入場機に通知し、利用者情報管理テーブルを更新し、利用者情報管理テーブルに入庫時間をセットする（ステップＳ５，Ｓ６）。他方、入場機は（ステップＳ４）で上記駐車場の管理サーバからの、空き有り／無し情報を受信（ステップＳ７）し、駐車場に空きがある場合には、駐車番号を表示して、入場許可ゲートを上げる（ステップＳ８→Ｓ９）。また、駐車場に空きがなければ、入場不許可表示をする（ステップＳ８→Ｓ１０）。
【００３３】
尚、店舗端末５及び、清算機４についての詳細の説明は実施例１と全く同等であり、図９の駐車場の利用者が提携店舗で買い物をしたときの処理フローと、図１０の駐車料金清算時の処理フローも実施例１と同様である。
【図面の簡単な説明】
【００３４】
【図１】本発明の実施例の駐車場管理システムの全体構成を示す図である。
【図２】予約端末のハードウエア構成を示す図である。
【図３】利用者情報管理テーブルの一例を示す図である。
【図４】入場機のハードウエア構成を示す図である。
【図５】店舗端末のディスプレイの表示例およびレシートの印字例を示す図である。
【図６】清算機のハードウエア構成を示す図である。
【図７】駐車場予約時の処理フローを示す図である。
【図８】予約機能がある場合の駐車場入場時における処理フローを示す図である。
【図９】駐車場の利用者が提携店舗で買い物をしたときの処理フローを示す図である。
【図１０】駐車料金清算時に商品券を購入する処理フローを示す図である。
【図１１】清算機で商品券の購入を勧める画面を示す図である。
【図１２】予約機能のない場合の駐車場入場時における処理フローを示す図である。
【符号の説明】
【００３５】
１  予約端末
２  管理サーバ
３  入場機
４  清算機
５  店舗端末
【図１】
2005157438.tif 000003
【図２】
2005157438.tif 000004
【図３】
2005157438.tif 000005
【図４】
2005157438.tif 000006
【図５】
2005157438.tif 000007
【図６】
2005157438.tif 000008
【図７】
2005157438.tif 000009
【図８】
2005157438.tif 000010
【図９】
2005157438.tif 000011
【図１０】
2005157438.tif 000012
【図１１】
2005157438.tif 000013
【図１２】
2005157438.tif 000014